(57)【特許請求の範囲】
【請求項１】
透光性を有する文字板と、
前記文字板の裏蓋側に設けられ、発電部を有するソーラーパネルと、
前記文字板の裏蓋側に設けられ、少なくとも一部が平面視で前記発電部と重ならない位置に配置されたアンテナと、を備え、
前記文字板は、所定の光透過率を有する第１光透過率部と、前記第１光透過率部より高い光透過率を有する第２光透過率部とを備え、
前記発電部は、前記第１光透過率部および前記第２光透過率部が平面視で重なるソーラーセルと、前記第１光透過率部のみが平面視で重なるソーラーセルとを備え、
前記ソーラーセルを隣り合う前記ソーラーセルと区画する分割線は、平面視において、前記第１光透過率部と重なり、
前記文字板における前記発電部と平面視で重ならない領域は、前記第１光透過率部である
ことを特徴とする電子時計。
【請求項２】
透光性を有する文字板と、
前記文字板の裏蓋側に設けられ、発電部を有するソーラーパネルと、
前記文字板の裏蓋側に設けられ、少なくとも一部が平面視で前記発電部と重ならない位置に配置されたアンテナと、を備え、
前記文字板は、所定の光透過率を有する第１光透過率部と、前記第１光透過率部より高い光透過率を有する第２光透過率部とを備え、
前記発電部は、複数のソーラーセルを備え、
前記ソーラーセルを隣り合う前記ソーラーセルと区画する分割線は、直線部分を備え、
前記分割線と重なる前記第２光透過率部は、平面視において、前記直線部分と重なり、
前記第２光透過率部は、前記第１光透過率部より高い光透過率を有する中光透過率部と、前記中光透過率部よりも高い光透過率を有する高光透過率部とを備え、
前記分割線の直線部分と平面視で重なる第２光透過率部は前記中光透過率部であり、
前記高光透過率部は平面視で前記分割線と重ならない
ことを特徴とする電子時計。
【請求項３】
請求項１または請求項２に記載の電子時計において、
前記各ソーラーセルの受光面積と、前記文字板における各ソーラーセルに対応する領域の光透過率とを乗算した値は、互いに等しい
ことを特徴とする電子時計。
【請求項４】
請求項１から請求項３のいずれか１項に記載の電子時計において、
前記文字板には、サブダイヤルが設けられ、
前記サブダイヤルは、リング状に形成されて前記文字板に設けられたリング部と、前記リング部に囲まれた前記文字板の領域である円形部とで構成され、
前記円形部は、前記第２光透過率部である
ことを特徴とする電子時計。
【請求項５】
請求項４に記載の電子時計において、
前記分割線は、平面視において、前記サブダイヤルの外周に沿って湾曲した湾曲部分を有する
ことを特徴とする電子時計。
【請求項６】
請求項１から請求項５のいずれか１項に記載の電子時計において、
前記文字板には、遮光性を有する遮光部材が設けられ、
前記分割線は、直線部分と、湾曲部分とを備え、
前記湾曲部分は、平面視において、前記遮光部材と重なっている
ことを特徴とする電子時計。
【請求項７】
請求項１から請求項６のいずれか１項に記載の電子時計において、
前記アンテナは、位置情報衛星からの衛星信号を受信する
ことを特徴とする電子時計。
【請求項８】
請求項１から請求項７のいずれか１項に記載の電子時計において、
前記アンテナは、平面視で前記発電部と重ならない位置に配置されている
ことを特徴とする電子時計。
【請求項９】
請求項１から請求項８のいずれか１項に記載の電子時計において、
前記アンテナは、平面視で前記文字板の中心部に対して１２時側に配置されている
ことを特徴とする電子時計。
【請求項１０】
請求項１から請求項９のいずれか１項に記載の電子時計において、
前記ソーラーパネルには切欠部が形成され、前記アンテナと前記切欠部とは平面視で重なる
ことを特徴とする電子時計。
【発明の詳細な説明】
【技術分野】
【０００１】
本発明は、ソーラーパネルおよびアンテナを備えた電子時計に関する。
【背景技術】
【０００２】
ソーラーパネルで発電された電力で指針などを駆動し、かつ、当該電力で受信装置を作動して衛星信号などのマイクロ波を受信して時刻情報を取得する電子時計が知られている（例えば、特許文献１参照）。
特許文献１の電子時計では、文字板の裏面側に、ソーラーセルと、衛星信号を受信するＧＰＳ（Global Positioning System）アンテナが設けられている。そして、この電子時計では、文字板を透過した電波が、ソーラーセルによって遮られてＧＰＳアンテナに到達しなくなることを防ぐため、ソーラーセルは、平面視でＧＰＳアンテナと重なる位置には配置されていない。また、特許文献１の他の電子時計では、ソーラーセルは、平面視でＧＰＳアンテナと重なる位置に配置されているが、この部分には電極は設けられていない。
【先行技術文献】
【特許文献】
【０００３】
【特許文献１】特開２０１０−９６７０７号公報
【発明の概要】
【発明が解決しようとする課題】
【０００４】
ところで、衛星信号などのマイクロ波を受信する時計は、消費電力が大きいため、ソーラーパネルの発電性能を向上させることが求められている。発電性能を向上するには、ソーラーパネルに入射する光量を増やすため、文字板全体の光透過率を高くすることが考えられる。しかしながら、この場合、特許文献１の電子時計では、ソーラーセルが配置されていない部分や、ソーラーセルにおける電極が形成されていない部分が、ユーザーによって視認されるようになるため、外観を損ねるという問題があった。
【０００５】
本発明の目的は、発電性能を向上でき、かつ、外観を向上できる電子時計を提供することにある。
【課題を解決するための手段】
【０００６】
本発明の電子時計は、透光性を有する文字板と、前記文字板の裏蓋側に設けられ、発電部を有するソーラーパネルと、前記文字板の裏蓋側に設けられ、少なくとも一部が平面視で前記発電部と重ならない位置に配置されたアンテナと、を備え、前記文字板は、所定の光透過率を有する第１光透過率部と、前記第１光透過率部より高い光透過率を有する第２光透過率部とを備え、前記文字板における前記発電部と平面視で重ならない領域は、前記第１光透過率部であることを特徴とする。
【０００７】
文字板を透過した電波が、ソーラーパネルによって遮られてアンテナに到達しなくなることを防ぐため、ソーラーパネルには、平面視においてアンテナの少なくとも一部と重なる位置に、切欠部が形成されたり、電極を備えず、発電部として機能しない非発電部が形成されたりする。このため、発電部は、平面視において、アンテナの少なくとも一部と重ならない。
また、第１光透過率部は、文字板を表面側から見て、文字板の裏蓋側が透けて見えにくい光透過率を有している部分であり、第２光透過率部は、第１光透過率部の光透過率よりも高く、文字板を透過する光を多くし、発電部による発電量を向上できる光透過率を有する部分である。また、第２光透過率部は、同じ光透過率を有する単一の部分であってもよいし、互いに異なる光透過率を有する複数の部分であってもよいし、同じ光透過率を有する複数の部分であってもよい。
本発明では、文字板における発電部と平面視で重ならない領域は、第１光透過率部である。
この構成によれば、切欠部や非発電部が平面視において第１光透過率部と重なるため、文字板を表面側から見て、切欠部や非発電部が見えにくくなり、電子時計の外観を向上できる。
また、第２光透過率部を備えることで、例えば文字板が第１光透過率部のみによって構成されている場合と比べて、発電部に到達する光の量を増やすことができ、ソーラーパネルの発電性能を向上できる。
【０００８】
本発明の電子時計において、前記ソーラーパネルは、複数のソーラーセルを備え、前記ソーラーセルを隣り合う前記ソーラーセルと区画する分割線は、平面視において、前記第１光透過率部と重なることが好ましい。
分割線は、ユーザーによって視認されると、外観を損ねる可能性があるが、本発明によれば、分割線が見えにくくなるため、電子時計の外観を向上できる。
【０００９】
本発明の電子時計において、前記ソーラーパネルは、複数のソーラーセルを備え、前記ソーラーセルを隣り合う前記ソーラーセルと区画する分割線は、直線部分を備え、前記第２光透過率部は、平面視において、前記直線部分と重なることが好ましい。
【００１０】
分割線の直線部分は、文字板から透けて見えたとき、目立ちにくい。
このため、例えば、第２光透過率部を平面視において分割線と重ならないように設計することが難しく、第２光透過率部を分割線と重ねる場合であっても、第２光透過率部を分割線の直線部分と重ねることで、分割線を目立ちにくくでき、電子時計の外観を向上できる。
【００１１】
本発明の電子時計において、前記ソーラーパネルは、複数のソーラーセルを備え、各ソーラーセルは、各ソーラーセルの受光面積と、前記文字板における各ソーラーセルに対応する領域の光透過率とを乗算した値が互いに等しいことが好ましい。
【００１２】
ソーラーパネルの電流量は、各ソーラーセルの中で最も電流量が小さいセルの電流量に制限される。このため、各ソーラーセルの電流量を均一化できれば、ソーラーパネルの電流量を最も大きくすることができる。
各ソーラーセルの電流量は、受光面積と、セル表面での放射照度とを乗算した値に比例する。ソーラーセルには、文字板を透過して光が到達するため、前記放射照度は、文字板における光透過率で変化する。文字板は、光透過率が異なる第１光透過率部と第２光透過率部とを備えているため、各ソーラーセルに対応する文字板の領域の光透過率は、それぞれ異なる。従って、対応する文字板の領域の光透過率が低いソーラーセルでは、受光面積を大きくし、対応する文字板の領域の光透過率が高いソーラーセルでは、受光面積を小さくする。これにより、各ソーラーセルの受光面積と、文字板において各ソーラーセルで受光される光が透過する領域の光透過率とを乗算した値を等しくすれば、各ソーラーセルでの電流量も均一化できる。したがって、ソーラーパネルの電流量を最大にできる。なお、等しいとは、ほぼ等しいことを含む。
【００１３】
本発明の電子時計において、前記文字板には、サブダイヤルが設けられ、前記第２光透過率部は、前記サブダイヤルに対応する領域に設けられることが好ましい。
第１光透過率部と第２光透過率部とは、光透過率が異なるため色合いが違って見える。
サブダイヤルは、一般的に、それ自体で情報を表示できる独立した表示部であるため、第２光透過率部が、サブダイヤルに対応する領域に設けられることで、サブダイヤルの色合いが、文字板の他の部分の色合いと違っても、色合いの違いによる違和感をユーザーに与えにくいデザインとすることができる。
また、文字板のサブダイヤルに対応していない領域は、第１光透過率部であるため、文字板における発電部と平面視で重ならない領域だけではなく、その周囲の発電部と平面視で重なる領域も、第１光透過率部とすることができる。これによれば、切欠部や非発電部と、発電部との色合いの違いが分かりにくくなるため、外観をより向上できる。
【００１４】
本発明の電子時計において、前記文字板には、遮光性を有する遮光部材が設けられ、前記ソーラーパネルは、複数のソーラーセルを備え、前記ソーラーセルを隣り合う前記ソーラーセルと区画する分割線は、直線部分と、湾曲部分とを備え、前記湾曲部分は、平面視において、前記遮光部材と重なっていることが好ましい。
本発明によれば、分割線において、直線部分よりも目立ちやすい湾曲部分は、遮光部材に隠れて視認されないため、電子時計の外観をより向上できる。
【００１５】
本発明の電子時計において、前記ソーラーパネルは、複数のソーラーセルを備え、前記ソーラーセルを隣り合う前記ソーラーセルと区画する分割線は、平面視において、前記第１光透過率部と重なり、前記ソーラーパネルの出力電圧を昇圧する昇圧回路を備えることが好ましい。
【００１６】
本発明によれば、昇圧回路を備えていない場合と比べて、同じ電圧を得る場合に、ソーラーパネルの出力電圧を低くできるため、ソーラーセルの数を少なくできる。これにより、分割線の数も少なくでき、文字板において、分割線と平面視で重ならない領域に第２光透過率部を設けやすくできる。
【００１７】
本発明の電子時計において、前記アンテナは、平面視で前記発電部と重ならない位置に配置されていることが好ましい。
本発明によれば、例えば、アンテナの一部が平面視で発電部と重なっている場合と比べて、アンテナの受信感度を向上できる。
【図面の簡単な説明】
【００１８】
【図１】本発明の第１実施形態に係る電子時計を示す概略図である。
【図２】第１実施形態における電子時計の平面図である。
【図３】第１実施形態における電子時計の概略断面図である。
【図４】第１実施形態におけるソーラーパネルの平面図である。
【図５】第１実施形態におけるソーラーパネルの断面図である。
【図６】第１実施形態における文字板の平面図である。
【図７】第１実施形態における電子時計の回路構成を示すブロック図である。
【図８】本発明の第２実施形態に係るソーラーパネルの平面図である。
【図９】本発明の第３実施形態に係る文字板の平面図である。
【図１０】本発明の第４実施形態に係る文字板の平面図である。
【図１１】本発明の変形例における文字板の平面図である。
【図１２】本発明の変形例における文字板の平面図である。
【図１３】本発明の変形例における文字板の平面図である。
【発明を実施するための形態】
【００１９】
［第１実施形態］
以下、本発明に係る実施形態を図面に基づいて説明する。なお、本実施形態では、電子時計１のカバーガラス１５側を表面側（上側）とし、裏蓋１２側を裏面側（下側）として説明する。
図１、２に示すように、電子時計１は、文字板２および指針３からなる時刻表示用の時刻表示部と、文字板２のサブダイヤル２Ａおよび指針４からなる情報表示部と、文字板２の日窓２Ｂおよび日車５からなるカレンダー表示部とを備える腕時計である。
【００２０】
文字板２は、透光性を有する非導電性部材にて円板状に形成されている。文字板２には、時刻を表示するための目盛が表記されている。また、文字板２の８秒位置には、受信に成功したことを示す「Ｙ」の文字が表記され、２２秒位置には、受信に失敗したことを示す「Ｎ」の文字が表記されている。
【００２１】
サブダイヤル２Ａは文字板２の７時位置と８時位置の中間位置に設けられている。サブダイヤル２Ａは、文字板２に設けられ、リング状に形成されたリング部２ＡＡと、平面視でリング部２ＡＡに囲まれた文字板２の領域である円形部２ＡＢとで構成されている。リング部２ＡＡは、加飾部材として、遮光性を有する金属などの材料で構成されている。
リング部２ＡＡの右半分には、曜日を示す「Ｓ、Ｍ、Ｔ、Ｗ、Ｔ、Ｆ、Ｓ」の文字が表記されている。リング部２ＡＡの左半分の７時位置（指針４の軸４Ａから見て７時位置）には、サマータイムが設定されていることを示す「ＤＳＴ」と、設定されていないことを示す「・」とが表記されている。さらに、リング部２ＡＡには、８時位置から９時位置にかけて電池残量を示す三日月鎌状の目盛が表記されている。さらに、リング部２ＡＡの９時位置から１２時位置の間には、機内モードを示す飛行機形状の記号、測時受信中であることを示す「１」の数字、測位受信中であることを示す「４＋」の記号が表記されている。したがって、サブダイヤル２Ａおよび指針（小針）４からなる情報表示部は、時計の曜日や電池残量やモード等の情報を表示する。
【００２２】
日窓２Ｂは文字板２の４時位置に設けられている。文字板２には、サブダイヤル２Ａ、日窓２Ｂの他、図３に示すように、指針３の軸３Ａが挿通される貫通孔２Ｃと、指針４の軸４Ａが挿通される貫通孔２Ｄも形成されている。
ここで、図３は、１２時位置から貫通孔２Ｃに伸び、さらに、貫通孔２Ｃから７時位置と８時位置の中間位置に伸びる直線に沿った断面図である。
指針３は、秒針３１、分針３２、時針３３を備えて構成される。指針３，４および日車５は、後述するステップモーターおよび歯車列を含む駆動機構を介して駆動される。
また、電子時計１には、操作部材であるリューズ６、ボタン７，８が設けられている。
【００２３】
電子時計１は、地球の上空を所定の軌道で周回している複数のＧＰＳ衛星Ｓなどからの衛星信号を受信して衛星時刻情報を取得し、内部時刻情報を修正できるように構成されている。
なお、図１に示すＧＰＳ衛星Ｓは、位置情報衛星の一例であり、地球の上空に複数存在している。現在は約３０個のＧＰＳ衛星が周回している。
【００２４】
［電子時計の外装構造］
図２、図３に示すように、電子時計１は、後述するムーブメント２０等を収容するケース１０を備える。ケース１０は、ケース本体１１と、裏蓋１２とを備える。
ケース本体１１は、円筒状の外装ケース１１１と、外装ケース１１１の表面側に設けられたベゼル１１２とを備える。
ベゼル１１２は、外周が外装ケース１１１の外周に連続するリング状に形成されている。そして、ベゼル１１２と外装ケース１１１とは、互いの対向面に形成された凹凸による嵌め合わせ構造あるいは両面粘着テープや接着剤等の手段により接続されている。なお、ベゼル１１２は、外装ケース１１１に対して回転可能に取り付けられていてもよい。
また、ベゼル１１２の内側には、ベゼル１１２によって保持されたカバー部材としてのカバーガラス１５が取り付けられている。
【００２５】
外装ケース１１１の裏面側には、外装ケース１１１の裏面側の開口を塞ぐ円板状の裏蓋１２が設けられている。裏蓋１２は、外装ケース１１１にねじ構造により接続される。
なお、本実施形態では、外装ケース１１１と裏蓋１２とは、別体で構成されているが、これに限らず、外装ケース１１１および裏蓋１２が一体化されたワンピースケースでもよい。
外装ケース１１１、ベゼル１１２、裏蓋１２には、ＢＳ（真鍮）、ＳＵＳ（ステンレス鋼）、チタン合金などの導電性の金属材料が利用される。
【００２６】
［電子時計の内部構造］
次に、電子時計１のケース１０に内蔵される内部構造について説明する。
図２、図３に示すように、ケース１０内には、文字板２の他、ムーブメント２０、平面アンテナ（パッチアンテナ）４０、日車５、ダイヤルリング１６等が収容される。
【００２７】
ムーブメント２０は、地板２１、地板２１に支持される駆動体２２、回路基板２３、二次電池２４、ソーラーパネル２５を備える。
地板２１は、プラスチック等の非導電性部材にて形成されている。地板２１は、駆動体２２を収容する駆動体収容部２１Ａと、日車５が配置される日車配置部２１Ｂと、平面アンテナ４０を収容するアンテナ収容部２１Ｃとを備える。
駆動体収容部２１Ａおよびアンテナ収容部２１Ｃは、地板２１の裏面側に設けられている。アンテナ収容部２１Ｃは、平面アンテナ４０の４つの側面に各々対向する４つの壁部２１４（図３には２つのみ図示）と、各壁部２１４から張り出して平面アンテナ４０の表面に対向する４つの被覆部２１５（図３には２つのみ図示）とを備える。さらに、各被覆部２１５間には、平面アンテナ４０のアンテナ電極４２の少なくとも一部と平面的に重なる貫通孔２１６が形成されている。なお、４つの壁部２１４は一体化して形成されており、４つの被覆部２１５も一体化して形成されている。
このアンテナ収容部２１Ｃは、平面位置が文字板２の１２時位置であるため、図２に示すように、平面アンテナ４０は１２時位置に配置されている。
【００２８】
駆動体２２は、地板２１の駆動体収容部２１Ａに収容され、時刻表示部、情報表示部、カレンダー表示部を駆動する。すなわち、駆動体２２は、指針３を駆動するステップモーターおよび歯車列を含む駆動機構２２１、指針４を駆動するステップモーターおよび歯車列を含む駆動機構２２２と、日車５を駆動するステップモーターおよび歯車列を含む駆動機構（図示略）等を含む。
【００２９】
回路基板２３は、表面が地板２１の裏面に当接され、ねじ等によって地板２１に固定されている。回路基板２３の表面側には、平面アンテナ４０が実装されている。また、回路基板２３の裏面側には、ＧＰＳ衛星Ｓから平面アンテナ４０が受信した衛星信号を処理する受信部５０（無線通信部）や、駆動機構２２１、２２２の制御を行う制御部６１などが実装されている。
ここで、受信部５０および制御部６１は、平面アンテナ４０に対して、回路基板２３の反対側に配置されている。さらに、受信部５０や制御部６１は、シールド板２６で囲まれている。このため、平面アンテナ４０が受信する電波が、受信部５０および制御部６１が発生するノイズの影響を受けることを回避できる。
【００３０】
二次電池２４には、リチウム二次電池が用いられる。二次電池２４は、駆動体２２、受信部５０、制御部６１等に電力を供給する。二次電池２４は、平面視において受信部５０および制御部６１と重ならずに回路基板２３の裏面側に設けられている。
【００３１】
地板２１の日車配置部２１Ｂには、リング状に形成され、表面に日付が表示されたカレンダー車である日車５が配置される。日車５は、プラスチック等の非導電性部材により形成されている。ここで、日車５は、平面視において、平面アンテナ４０の少なくとも一部と重なっている。なお、カレンダー車としては、日車に限らず、曜日を表示する曜車や、月を表示する月車などでもよい。
【００３２】
［平面アンテナの詳細］
アンテナ収容部２１Ｃには、平面アンテナ４０が配置される。平面アンテナ４０は、ＧＰＳ衛星Ｓからの衛星信号を受信するものである。
ＧＰＳ衛星Ｓは、右旋円偏波で衛星信号を送信している。そのため、本実施形態の平面アンテナ４０は、円偏波特性に優れるパッチアンテナ（マイクロストリップアンテナともいう）で構成されている。
本実施形態の平面アンテナ４０は、セラミックの誘電体基材４１に導電性のアンテナ電極４２を積層したパッチアンテナである。
この平面アンテナ４０は、次のようにして製造できる。まず、比誘電率が６０〜１００程度のチタン酸バリウムを主原料にプレス機で目的の形に成形し、焼成を経てアンテナの誘電体基材４１となるセラミックスを完成する。誘電体基材４１の裏面（回路基板２３側の面）には、主に銀（Ag）等のペースト材をスクリーン印刷すること等で、アンテナのグランド（ＧＮＤ）となるＧＮＤ電極（図示略）を構成する。
誘電体基材４１の表面（地板２１、文字板２側の面）には、アンテナの周波数、受信する信号の偏波を決めるアンテナ電極４２をＧＮＤ電極と同様な方法で構成する。アンテナ電極４２は、誘電体基材４１の表面よりも一回り小さく形成されており、誘電体基材４１の表面においてアンテナ電極４２の周囲には、アンテナ電極４２が積層されていない露出面が設けられる。
【００３３】
［ソーラーパネルの詳細］
ソーラーパネル２５は、光エネルギーを電気エネルギーに変換する光発電を行う光発電素子であり、文字板２を透過した光を受光して発電する。
ソーラーパネル２５は、地板２１の表面側に設けられる。図４は、ソーラーパネル２５を表面側から見た平面図である。なお、図中の２点鎖線は、平面アンテナ４０を示す想像線である。
図４に示すように、ソーラーパネル２５は、略円板状に形成されている。そして、平面中心に、指針３の軸３Ａが挿通される貫通孔２５Ａが形成され、平面中心から７時位置と８時位置の中間位置に向かう方向に、指針４の軸４Ａが挿通される貫通孔２５Ｂが形成され、４時位置に、日窓２Ｂに対応した開口部２５Ｃが形成され、１２時位置に、平面アンテナ４０と平面視で重なる切欠部２５Ｄが形成されている。
【００３４】
ＧＰＳ衛星信号の周波数は、約１．５ＧＨｚであり、高周波であるため、電波時計で受信する長波の標準電波と異なり、ソーラーパネルの薄い透明電極でも電波は減衰し、アンテナ特性が低下する。このため、円板状に形成されたソーラーパネル２５は、平面アンテナ４０のアンテナ電極４２および誘電体基材４１と平面視で重なる部分に切欠部２５Ｄが形成されている。このため、ソーラーパネル２５は、地板２１の表面側に配置され、平面アンテナ４０の表面側には配置されていない。したがって、平面アンテナ４０は、ソーラーパネル２５の切欠部２５Ｄを通して電波を受信できる。
【００３５】
ソーラーパネル２５は、貫通孔２５Ａから外周に向かって伸びる４つの分割線Ｄ１〜Ｄ４によって、４つのソーラーセル２５１〜２５４に分割されている。４つのソーラーセル２５１〜２５４は、発電部であり、図示しない接続部によって直列に接続されている。
【００３６】
ソーラーセル２５１は、貫通孔２５Ａから１２時位置に向かい、切欠部２５Ｄまで伸びる分割線Ｄ１と、貫通孔２５Ａから４時位置に伸びる分割線Ｄ２とによって、隣り合う他のソーラーセル２５４，２５２と区画されている。分割線Ｄ１，Ｄ２は、直線である。
ソーラーセル２５２は、分割線Ｄ２と、貫通孔２５Ａから７時位置に伸びる分割線Ｄ３とによって、隣り合う他のソーラーセル２５１，２５３と区画されている。分割線Ｄ３は、直線部分Ｄ３１と、平面視においてリング部２ＡＡ（図６参照）と重なり、リング部２ＡＡの円弧に沿って湾曲した湾曲部分Ｄ３２と、直線部分Ｄ３３とを有している。
また、ソーラーセル２５２には、開口部２５Ｃが形成されている。
ソーラーセル２５３は、分割線Ｄ３と、貫通孔２５Ａから８時位置に伸びる分割線Ｄ４とによって、隣り合う他のソーラーセル２５２，２５４と区画されている。分割線Ｄ４は、直線部分Ｄ４１と、平面視においてリング部２ＡＡと重なり、リング部２ＡＡの円弧に沿って湾曲した湾曲部分Ｄ４２と、直線部分Ｄ４３とを有している。
また、ソーラーセル２５３には、貫通孔２５Ｂが形成されている。
ソーラーセル２５４は、分割線Ｄ４と分割線Ｄ１とによって、隣り合う他のソーラーセル２５３，２５１と区画されている。
【００３７】
ここで、各ソーラーセル２５１〜２５４は直列に接続されているため、ソーラーパネル２５の電流量は、各ソーラーセル２５１〜２５４のうち、最も電流量が小さいソーラーセルの電流量に制限される。このため、ソーラーパネル２５の電流量を最大にするには、各ソーラーセル２５１〜２５４の電流量を均一にすることが好ましい。
各ソーラーセル２５１〜２５４の電流量は、受光面積と、セル表面での放射照度とを乗算した値に比例する。ソーラーセルには、文字板２を透過して光が到達するため、前記放射照度は、文字板２における光透過率で変化する。文字板２は、光透過率が異なる後述する低光透過率部ＴＬと高光透過率部ＴＨとを備えているため、各ソーラーセル２５１〜２５４に対応する文字板２の領域の光透過率は、それぞれ異なる。従って、対応する文字板２の領域の光透過率が低いソーラーセルでは、受光面積を大きくし、対応する文字板２の領域の光透過率が高いソーラーセルでは、受光面積を小さくする。これにより、本実施形態では、各ソーラーセル２５１〜２５４の受光面積と、文字板２において各ソーラーセル２５１〜２５４で受光される光が透過する領域の光透過率とを乗算した値を等しくし、各ソーラーセル２５１〜２５４での電流量を均一化している。
なお、前記値は、ソーラーセルに対応する文字板２の領域に、低光透過率部ＴＬおよび高光透過率部ＴＨの両方がある場合は、低光透過率部ＴＬに対応する受光面積に、低光透過率部ＴＬの光透過率を乗算した値と、高光透過率部ＴＨに対応する受光面積に、高光透過率部ＴＨの光透過率を乗算した値とを加算することで求められる。
また、各ソーラーセル２５１〜２５４の前記値が等しくなるとは、ほぼ等しいことを含み、例えば、各ソーラーセル２５１〜２５４の前記値が、すべてのソーラーセル２５１〜２５４の前記値の平均値に対して±１０％以内に納まっている場合などを意味する。
【００３８】
図５は、ソーラーパネル２５における、１２時位置から６時位置に伸びる直線に沿った断面図である。
図５に示すように、ソーラーパネル２５は、裏面に保護フィルム部Ｌ１が形成されたプラスチックフィルム基板Ｌ２の表面側に、金属電極Ｌ３、アモルファスシリコンＬ４、透明電極Ｌ５、保護フィルムＬ６が積層されて形成されている。
アモルファスシリコンＬ４は、ｎ型半導体Ｌ４１およびｐ型半導体Ｌ４３がｉ型半導体Ｌ４２を挟むようにして形成されている。
保護フィルムＬ６および透明電極Ｌ５を通過した光がアモルファスシリコンＬ４の表面に入射すると、光のエネルギーによりｉ型半導体Ｌ４２に電子と正孔が発生する。発生した電子と正孔は、それぞれｐ型半導体Ｌ４３とｎ型半導体Ｌ４１の方向に移動する。その結果、透明電極Ｌ５および金属電極Ｌ３に接続された外部回路に電流が流れる。このようにして、ソーラーパネル２５は光発電を行う。
【００３９】
［文字板の詳細］
地板２１の表面側には、ソーラーパネル２５および日車５の表面側を覆って、文字板２が配置される。文字板２は、非導電性を有し、かつ、少なくとも一部の光を透過させる透光性を有するポリカーボネートなどの材料で形成されている。
図６は、文字板２を表面側から見た平面図である。図中の破線は、文字板２に隠れているソーラーパネル２５および平面アンテナ４０を示している。
文字板２は、図６に示すように、サブダイヤル２Ａに対応する領域である円形部２ＡＢが、高光透過率部ＴＨとなり、円形部２ＡＢを除く領域が、低光透過率部ＴＬとなる。
ここで、低光透過率部ＴＬは、所定の光透過率を有する本発明の第１光透過率部の一例であり、高光透過率部ＴＨは、第１光透過率部よりも高い光透過率を有する本発明の第２光透過率部の一例である。
【００４０】
低光透過率部ＴＬは、文字板２を表面側から見て、文字板２の裏側が透けて見えにくい光透過率（例えば２６％）を有している。すなわち、低光透過率部ＴＬは、文字板２の裏蓋側が透けて見えることを抑制する視認抑制部である。
ここで、ソーラーパネル２５の切欠部２５Ｄ、分割線Ｄ１〜Ｄ４は、平面視において、低光透過率部ＴＬと重なるため、見えにくくなる。
【００４１】
また、高光透過率部ＴＨは、低光透過率部ＴＬの光透過率よりも高く、文字板２を透過する光を多くし、ソーラーパネル２５による発電量を向上できる光透過率（例えば９５％）を有している。すなわち、高光透過率部ＴＨは、発電に貢献する発電貢献部である。
高光透過率部ＴＨは、平面視においてソーラーパネル２５と重なっているため、高光透過率部ＴＨを透過した光は、すべてソーラーパネル２５に入射される。
【００４２】
また、分割線Ｄ３の湾曲部分Ｄ３２、および、分割線Ｄ４の湾曲部分Ｄ４２は、平面視において、サブダイヤル２Ａのリング部２ＡＡと重なっている。すなわち、リング部２ＡＡは遮光性を有するため、湾曲部分Ｄ３２，Ｄ４２は、文字板２を表面側から見て、視認されない。
【００４３】
図２，３に示すように、文字板２の表面側には、非導電性部材である合成樹脂にてリング状に形成されたダイヤルリング１６が設けられる。ダイヤルリング１６は、文字板２の周囲に沿って配置され、内周面が傾斜面（円錐面）とされ、この傾斜面には６０分割で指示目盛が印刷されている。ダイヤルリング１６は、ベゼル１１２によって文字板２側へ押しつけられて保持されている。
【００４４】
このような電子時計１では、平面アンテナ４０のアンテナ電極４２は、平面視において、ケース本体１１（外装ケース１１１およびベゼル１１２）、ソーラーパネル２５とは重ならずに、非導電性部材にて形成された日車５、文字板２、カバーガラス１５と重なっている。すなわち、電子時計１では、平面アンテナ４０の時計表面側において、平面視で平面アンテナ４０と重なる部品はすべて非導電性部材にて形成されている。
このため、時計表面側から伝播されてくる衛星信号は、カバーガラス１５を透過した後、ケース本体１１またはソーラーパネル２５によって遮られることなく、文字板２、日車５を透過してアンテナ電極４２に入射する。なお、指針３，４はアンテナ電極と重なる面積が小さいことから、金属製であっても無線電波の受信に支障ないが、非導電性部材であれば無線電波が遮断される影響を回避できて好ましい。
【００４５】
［電子時計の回路構成］
図７は、電子時計１の回路構成を示す概略図である。
電子時計１は、図７に示すように、平面アンテナ４０と、フィルター（ＳＡＷ）３５と、受信部５０と、制御表示部６０と、電源供給部７０を含んで構成されている。
フィルター３５は、バンドパスフィルターであり、１．５ＧＨｚの衛星信号を通過させるものとなっている。また、平面アンテナ４０とフィルター３５との間に、受信感度を良好にするＬＮＡ（ローノイズアンプ）を別途組み込む構成としてもよい。
なお、フィルター３５が受信部５０内に組み込まれる構成としてもよい。
【００４６】
受信部５０は、フィルター３５を通過した衛星信号を処理するものであり、ＲＦ部（Radio Frequency：無線周波数）５１とベースバンド部５２を備える。
ＲＦ部５１は、ＰＬＬ回路５１１、ＶＣＯ（Voltage Controlled Oscillator）５１２、ＬＮＡ（Low Noise Amplifier）５１３、ミキサー５１４、ＩＦアンプ５１５、ＩＦフィルター５１６、ＡＤＣ（Ａ／Ｄ変換器）５１７等を備えている。
【００４７】
そして、フィルター３５を通過した衛星信号は、ＬＮＡ５１３で増幅された後、ミキサー５１４でＶＣＯ５１２の信号とミキシングされ、ＩＦ（Intermediate Frequency：中間周波数）にダウンコンバートされる。
ミキサー５１４でミキシングされたＩＦは、ＩＦアンプ５１５、ＩＦフィルター５１６を通り、ＡＤＣ（Ａ／Ｄ変換器）５１７でデジタル信号に変換される。
【００４８】
ベースバンド部５２は、ＤＳＰ（Digital Signal Processor）５２１、ＣＰＵ（Central Processing Unit）５２２、ＲＴＣ（リアルタイムクロック）５２３、ＳＲＡＭ（Static Random Access Memory）５２４を備えている。また、ベースバンド部５２には、温度補償回路付き水晶発振回路（ＴＣＸＯ）５３やフラッシュメモリー５４等も接続されている。
そして、ベースバンド部５２は、ＲＦ部５１のＡＤＣ５１７からデジタル信号が入力され、相関処理や測位演算等を行うことにより、衛星時刻情報や測位情報を取得できるようになっている。
なお、ＰＬＬ回路５１１用のクロック信号は、温度補償回路付き水晶発振回路（ＴＣＸＯ）５３から生成されるようになっている。
【００４９】
フラッシュメモリー５４には、測位情報（緯度データおよび経度データ）と時差データとを関連づけた時差データベースが記憶されている。なお、フラッシュメモリー５４の代わりにＥＥＰＲＯＭ（Electrically Erasable Programmable Read-Only Memory）を用いてもよい。
また、本実施形態では、時差データベースを受信部５０のフラッシュメモリー５４に記憶していたが、制御表示部６０の制御部６１内にＥＥＰＲＯＭやフラッシュメモリーなどの不揮発性メモリーを設け、この不揮発性メモリーに時差データベースを記憶してもよい。
【００５０】
制御表示部６０は、制御部（ＣＰＵ）６１と、指針３，４等の駆動を実施する駆動回路６２と、水晶振動子６３と、時刻表示部および情報表示部等とを備えている。
制御部６１は、ＲＴＣ６６、記憶部６７を含んで構成されている。
ＲＴＣ６６は、水晶振動子６３から出力される基準信号を用いて、内部時刻情報を計時している。
記憶部６７は、受信部５０から出力される衛星時刻情報や測位情報を記憶する。
【００５１】
本実施形態の電子時計１は、上述のような受信部５０および制御表示部６０を備えていることで、ＧＰＳ衛星Ｓから受信した衛星信号に基づいて時刻表示を自動的に修正することができる。
【００５２】
電源供給部７０は、ソーラーパネル２５、昇圧回路７５、充電制御回路７１、二次電池２４、第１レギュレーター７２、第２レギュレーター７３、電圧検出回路７４を含んで構成されている。
【００５３】
ソーラーパネル２５に光が入射して発電すると、昇圧回路７５は、ソーラーパネル２５の出力電圧を例えば２倍に昇圧する。昇圧回路７５は、例えばチャージポンプ昇圧回路である。
充電制御回路７１は、昇圧回路７５で昇圧された電力を二次電池２４に供給して二次電池２４を充電する。
二次電池２４は、第１レギュレーター７２を介して制御表示部６０に駆動電力を供給し、第２レギュレーター７３を介して受信部５０に駆動電力を供給する。
電圧検出回路７４は、二次電池２４の電圧をモニターし、制御部６１に出力する。制御部６１は、電圧検出回路７４で検出された電池電圧が入力されるため、二次電池２４の電圧を把握して受信処理を制御できる。
【００５４】
［第１実施形態の作用効果］
切欠部２５Ｄおよび分割線Ｄ１〜Ｄ４は、平面視において、低光透過率部ＴＬと重なるため、見えにくくなり、電子時計１の外観を向上できる。
また、高光透過率部ＴＨを備えることで、例えば文字板２が低光透過率部ＴＬのみによって構成されている場合と比べて、ソーラーパネル２５に到達する光の量を増やすことができ、ソーラーパネル２５の発電性能を向上できる。
【００５５】
低光透過率部ＴＬと高光透過率部ＴＨとは、光透過率が異なるため色合いが違って見える。サブダイヤル２Ａは、それ自体で情報を表示できる独立した表示部であるため、高光透過率部ＴＨが、サブダイヤル２Ａに対応する領域に設けられ、サブダイヤル２Ａの色合いが、文字板２の他の領域の色合いと違っても、色合いの違いによる違和感をユーザーに与えにくいデザインとすることができる。
また、文字板２のサブダイヤル２Ａに対応していない領域は、低光透過率部ＴＬであるため、切欠部２５Ｄおよびその周囲のソーラーパネル２５の領域は、平面視において、低光透過率部ＴＬと重なる。これにより、切欠部２５Ｄとソーラーパネル２５との色合いの違いが分かりにくくなるため、外観をより向上できる。
【００５６】
分割線において、直線部分よりも目立ちやすい湾曲部分Ｄ３２，Ｄ４２は、リング部２ＡＡに隠れて視認されないため、電子時計１の外観をより向上できる。
【００５７】
各ソーラーセル２５１〜２５４での発電量を均一化できるため、ソーラーパネル２５の電流量を最大にできる。
【００５８】
昇圧回路７５を備えているため、昇圧回路７５を備えていない場合と比べて、同じ電圧を得る場合に、ソーラーパネル２５の出力電圧を低くできるため、ソーラーセルの数を少なくできる。これにより、分割線の数も少なくでき、文字板２において、分割線と平面視で重ならない領域に高光透過率部ＴＨを設けやすくできる。
【００５９】
［第２実施形態］
第１実施形態では、ソーラーパネル２５は、平面視において、平面アンテナ４０と重なる位置には配置されていなかったが、第２実施形態のソーラーパネルは、平面アンテナ４０と重なる位置にも配置されている。ただし、ソーラーパネルにおける平面アンテナ４０と重なる位置には、金属電極Ｌ３、アモルファスシリコンＬ４、透明電極Ｌ５が形成されておらず、発電部として機能しない部分となっている。
【００６０】
図８は、第２実施形態のソーラーパネルを表面側から見た平面図である。なお、図中の２点鎖線は、平面アンテナ４０を示す想像線である。
図８に示すように、本実施形態のソーラーパネルは、平面アンテナ４０と平面視で重なる部分にも形成されているが、この部分には、金属電極Ｌ３、アモルファスシリコンＬ４、透明電極Ｌ５が形成されていない。すなわち、前記部分には、保護フィルム部Ｌ１、プラスチックフィルム基板Ｌ２、保護フィルムＬ６が形成されている。つまり、前記部分には、非導電性を有し、電波を遮らない部材のみが形成されている。
したがって、平面アンテナ４０は、ソーラーパネル２５を通して電波を受信できる。なお、前記部分は、発電部として機能しない非発電部２５５となる。
なお、その他の構成は、第１実施形態の電子時計１と同様である。
【００６１】
［第２実施形態の作用効果］
第２実施形態においても、第１実施形態と同様の構成により、同様の作用効果を奏することができる。
すなわち、非発電部２５５は、ソーラーセル２５１〜２５４と構成が異なり、色合いが違って見えるが、本実施形態では、平面視において、非発電部２５５は、低光透過率部ＴＬと重なるため、見えにくくなり、電子時計の外観を向上できる。
【００６２】
［第３実施形態］
第３実施形態の電子時計は、主に、ソーラーパネルにおけるソーラーセルの平面形状、および、文字板にサブダイヤルが２つ設けられている点が、第１実施形態とは異なる。
図９は、第３実施形態の文字板を表面側から見た平面図である。図中の破線は、文字板に隠れているソーラーパネルおよび平面アンテナ４０を示している。
本実施形態では、文字板には、略３時位置にサブダイヤル２Ｅが設けられ、略９時位置にサブダイヤル２Ｆが設けられている。
サブダイヤル２Ｅは、文字板に設けられ、リング状に形成されたリング部２ＥＡと、平面視でリング部２ＥＡに囲まれた文字板の領域である円形部２ＥＢとで構成されている。サブダイヤル２Ｆは、文字板に設けられ、リング状に形成されたリング部２ＦＡと、リング部２ＦＡに囲まれた文字板の領域である円形部２ＦＢとで構成されている。リング部２ＥＡ，２ＦＡは、加飾部材として、遮光性を有する金属などの材料で構成されている。
本実施形態では、文字板において、円形部２ＥＢ，２ＦＢは、高光透過率部ＴＨとなり、円形部２ＥＢ，２ＦＢを除く領域は、低光透過率部ＴＬとなる。なお、本実施形態では、文字板に日窓は設けられていない。
【００６３】
ソーラーパネルには、１２時位置に、平面視で貫通孔２５Ａを中心とした扇形状の切欠部２５Ｄが形成されている。
また、ソーラーパネルは、３つの分割線Ｄ１〜Ｄ３によって、４つのソーラーセル２５１〜２５４に分割されている。
分割線Ｄ１は、貫通孔２５Ａから３時位置まで伸び、平面視でリング部２ＥＡと重なり、リング部２ＥＡの円弧に沿って湾曲した湾曲部分と、直線部分とを備えている。
分割線Ｄ２は、貫通孔２５Ａから６時位置まで伸びる直線である。
分割線Ｄ３は、貫通孔２５Ａから３時位置まで伸び、平面視でリング部２ＦＡと重なり、リング部２ＦＡの円弧に沿って湾曲した湾曲部分と、直線部分とを備えている。
【００６４】
本実施形態においても、ソーラーパネルの切欠部２５Ｄ、分割線Ｄ１〜Ｄ３は、平面視において、低光透過率部ＴＬと重なる。
また、分割線Ｄ１，Ｄ３の湾曲部分は、平面視において、リング部２ＥＡ，２ＦＡと重なる。
また、各ソーラーセル２５１〜２５４は、受光面積と、文字板における各ソーラーセル２５１〜２５４に対応する領域の光透過率とを乗算した値が互いに等しい。
なお、その他の構成は、第１実施形態の電子時計１と同様である。
【００６５】
［第３実施形態の作用効果］
第３実施形態においても、第１実施形態と同様の構成により、同様の作用効果を奏することができる。
すなわち、ソーラーパネルの切欠部２５Ｄ、分割線Ｄ１〜Ｄ３は、平面視において、低光透過率部ＴＬと重なるため、見えにくくなる。
また、分割線Ｄ１，Ｄ３の湾曲部分は、リング部２ＥＡ，２ＦＡに隠れて視認されない。
また、各ソーラーセル２５１〜２５４での発電量を均一化できるため、ソーラーパネルの電流量を最大にできる。
【００６６】
［第４実施形態］
第３実施形態の文字板には、２つのサブダイヤル２Ｅ，２Ｆが設けられているが、第４実施形態の文字板には、３つのサブダイヤルが設けられている。
図１０は、第４実施形態の文字板を表面側から見た平面図である。図中の破線は、文字板に隠れているソーラーパネルおよび平面アンテナ４０を示している。
本実施形態では、文字板には、サブダイヤル２Ｅ，２Ｆに加えて、６時位置にサブダイヤル２Ｇが設けられている。
サブダイヤル２Ｇは、文字板に設けられ、リング状に形成されたリング部２ＧＡと、平面視においてリング部２ＧＡに囲まれた文字板の領域である円形部２ＧＢとで構成されている。リング部２ＧＡは、加飾部材として、遮光性を有する金属などの材料で構成されている。
【００６７】
本実施形態では、円形部２ＧＢは、中光透過率部ＴＭとなる。中光透過率部ＴＭは、発電貢献部であり、本発明の第２光透過率部の一例である。
中光透過率部ＴＭは、低光透過率部ＴＬよりも光透過率が高く、文字板２を透過する光を多くし、ソーラーパネルによる発電量を向上でき、かつ、高光透過率部ＴＨよりも光透過率が低く、高光透過率部ＴＨと比べて文字板の裏側が透けて見えにくい。
中光透過率部ＴＭの光透過率は、例えば、低光透過率部ＴＬと高光透過率部ＴＨの間の光透過率（例えば５０％）に設定されている。
本実施形態では、中光透過率部ＴＭは、平面視において、直線である分割線Ｄ２と重なっている。また、分割線Ｄ２は、中光透過率部ＴＭの平面中心を通過している。
なお、その他の構成は、第３実施形態の電子時計と同様である。
【００６８】
［第４実施形態の作用効果］
第４実施形態においても、第３実施形態と同様の構成により、同様の作用効果を奏することができる。
また、分割線の直線部分は、文字板から透けて見えたとき、湾曲部分と比べて目立ちにくい。このため、高光透過率部ＴＨや中光透過率部ＴＭである発電貢献部を平面視において分割線と重ならないように設計することが難しく、発電貢献部を分割線と重ねる場合であっても、本実施形態のように、発電貢献部（中光透過率部ＴＭ）を、分割線の直線部分と重ねることで、湾曲部分と重ねる場合と比べて、分割線を目立ちにくくでき、電子時計の外観を向上できる。
また、本実施形態では、中光透過率部ＴＭと重なる分割線Ｄ２は、文字板の平面中心を通る直線に沿い、かつ、中光透過率部ＴＭの平面中心を通過しているため、ユーザーに違和感を与えにくい。
また、本実施形態では、中光透過率部ＴＭが分割線と重なり、高光透過率部ＴＨは分割線と重なっていないため、反対の場合、すなわち、中光透過率部ＴＭが分割線と重なっておらず、高光透過率部ＴＨが分割線と重なる場合と比べて、分割線を見えにくくできる。
【００６９】
［他の実施形態］
なお、本発明は前述の各実施形態に限定されるものではなく、本発明の目的を達成できる範囲での変形、改良等は本発明に含まれるものである。
前記各実施形態では、平面アンテナ４０は、１２時位置に設けられているが、本発明はこれに限定されず、別の位置に設けられていてもよい。
また、前記第１実施形態では、サブダイヤル２Ａは、７時位置と８時位置の中間位置に設けられているが、本発明はこれに限定されず、別の位置に設けられていてもよい。また、前記第１実施形態では、文字板の４時位置に日窓が設けられていたが、本発明はこれに限定されず、例えば３時位置などの他の位置に設けられていてもよいし、なくてもよい。
図１１は、第１実施形態の変形例を示す図である。図１１に示すように、例えば、平面アンテナ４０は、２時位置と３時位置の中間位置に設けられていてもよく、サブダイヤル２Ａは、６時位置に設けられていてもよい。また、日窓はなくてもよい。
【００７０】
前記各実施形態では、サブダイヤルは平面視で円形状に形成されているが、本発明はこれに限定されず、他の形状であってもよい。
図１２は、第１実施形態の他の変形例を示す図である。図１２に示すように、例えば、サブダイヤル２Ｈは、平面視で扇形状に形成された文字板の領域である扇形部２ＨＢと、文字板に設けられ、平面視において、扇形部２ＨＢの円弧の外側に位置し、当該円弧に沿って湾曲した加飾部材としての円弧部２ＨＡで構成されていてもよい。
また、サブダイヤルは、リング部や円弧部などの加飾部材を備えていなくてもよい。
また、図１２の例では、分割線Ｄ３，Ｄ４の一部は、扇形部２ＨＢである高光透過率部ＴＨ（第２光透過率部）と、低光透過率部ＴＬ（第１光透過率部）との境界に沿って配置されている。これによれば、分割線を目立ちにくくすることができる。
【００７１】
前記各実施形態では、ソーラーパネルは、４つのソーラーセルを有しているが、本発明はこれに限定されない。すなわち、１つ、２つ、３つ、または、５つ以上のソーラーセルを有していてもよい。
図１３は、第４実施形態の変形例を示す図である。図１３に示すように、例えば、ソーラーパネルは、分割線Ｄ１〜Ｄ７によって、８つのソーラーセルに分割されていてもよい。なお、この変形例では、中光透過率部ＴＭは、平面視において分割線Ｄ４と重なり、２つの高光透過率部ＴＨが、平面視において分割線Ｄ１，Ｄ７と重なっている。中光透過率部ＴＭおよび高光透過率部ＴＨは、分割線の直線部分と重なっているため、湾曲部分と重なる場合と比べて、分割線を目立ちにくくできる。
【００７２】
前記各実施形態では、ソーラーパネルの発電部は、平面視において平面アンテナ４０と重なっていないが、本発明はこれに限定されない。すなわち、発電部は、平面アンテナ４０が電波を受信できる範囲であれば、誘電体基材４１の一部やアンテナ電極４２の一部と重なっていてもよい。この場合、発電部の面積を大きくできる。ただし、発電部が、誘電体基材４１およびアンテナ電極４２と重なっていない方が、平面アンテナ４０の受信感度を向上できる。
【００７３】
前記各実施形態では、各ソーラーセルの受光面積と、文字板において各ソーラーセルで受光される光が透過する領域の光透過率とを乗算した値を等しくしているが、本発明はこれに限定されず、等しくなくてもよい。
【００７４】
前記各実施形態では、高光透過率部ＴＨおよび中光透過率部ＴＭは、文字板のサブダイヤルに対応する領域であるが、本発明はこれに限定されず、文字板のサブダイヤル以外の領域であってもよい。
また、本発明は、サブダイヤルを備えていない電子時計にも適用できる。
【００７５】
前記各実施形態では、ソーラーパネルの分割線の湾曲部分は、平面視においてサブダイヤルのリング部と重なっているが、本発明はこれに限定されない。例えば、文字板に設けられた他の遮光性を有する遮光部材と重なっていてもよい。また、遮光部材と重なっていなくてもよい。
【００７６】
前記各実施形態では、昇圧回路７５は、チャージポンプ昇圧回路であるが、本発明はこれに限定されない。例えば、チョッパ昇圧回路であってもよい。
また、昇圧回路７５の昇圧倍率は、２倍に限定されず、他の倍率に設定されていてもよい。
また、昇圧回路７５は、なくてもよい。この場合、例えば、ソーラーセルの数を８つなどに増やすことで、起電圧を高くすることができる。
【００７７】
前記各実施形態では、ソーラーパネルの切欠部または非発電部の平面形状は、矩形状または扇形状であるが、本発明はこれに限定されず、他の形状であってもよい。
【００７８】
前記第２実施形態では、ソーラーパネルの非発電部は、保護フィルム部Ｌ１、プラスチックフィルム基板Ｌ２、保護フィルムＬ６で形成されているが、本発明はこれに限定されない。すなわち、発電部として機能せず、電波を透過できる構成であればよい。
【００７９】
前記各実施形態では、受信部は、衛星信号を受信しているが、本発明はこれに限定されない。例えば、Bluetooth（登録商標）などの近距離無線通信で用いられるマイクロ波を受信してもよい。
【００８０】
前記各実施形態において、低光透過率部ＴＬ、高光透過率部ＴＨ、中光透過率部ＴＭの光透過率は、２６％、９５％、５０％に限定されず、適宜設定できる。
例えば、低光透過率部ＴＬの光透過率は、３５％以下であれば、ソーラーパネルの切欠部や非発電部を目立ちにくくできるが、低ければ低いほど外観上は好ましい。
高光透過率部ＴＨの光透過率は、平面視において分割線と重ならない場合は、１００％に近い値でもよい。
中光透過率部ＴＭの光透過率は、発電量と外観のバランスから適宜設定すればよい。
前記各実施形態において、サブダイヤルが表示する情報は、曜日や電池残量やモードに限定されず、クロノグラフの計測時間や、デュアルタイム機能による時刻や、アラーム時刻などであってもよい。
【符号の説明】
【００８１】
１…電子時計、２…文字板、２５…ソーラーパネル、２５１〜２５４…ソーラーセル、２５５…非発電部、２５Ｄ…切欠部、２Ａ，２Ｅ，２Ｆ，２Ｇ，２Ｈ…サブダイヤル、４０…平面アンテナ、４１…誘電体基材、４２…アンテナ電極、７５…昇圧回路、Ｄ１〜Ｄ４…分割線、Ｄ３２，Ｄ４２…湾曲部分、ＴＨ…高光透過率部、ＴＬ…低光透過率部、ＴＭ…中光透過率部。
【図１】
0006638247.tif 000002
【図２】
0006638247.tif 000003
【図３】
0006638247.tif 000004
【図４】
0006638247.tif 000005
【図５】
0006638247.tif 000006
【図６】
0006638247.tif 000007
【図７】
0006638247.tif 000008
【図８】
0006638247.tif 000009
【図９】
0006638247.tif 000010
【図１０】
0006638247.tif 000011
【図１１】
0006638247.tif 000012
【図１２】
0006638247.tif 000013
【図１３】
0006638247.tif 000014